(57)【要約】      （修正有）【課題】環境負荷の低い紙等の材料により構成された、リサイクル可能な包装容器を提供する。【解決手段】上縁に開口１１を有する紙製の容器本体２には、その上縁にプラスチック製の環状口部材１０が固着されている。蓋部材３は、環状口部材１０に対して外嵌合され、嵌合状態において、容器本体２の開口１１を開閉可能に密閉する。蓋部材３には、プラスチック製の嵌合環部８と、蓋本体６とが含まれ、蓋本体６は、プラスチック製の周縁フレーム１２と、蓋本体６の主面を構成する紙製の主面板１３とにより構成する。【選択図】図２
0003153078.tif 000002
【実用新案登録請求の範囲】
【請求項１】
上縁に開口を有する紙製の容器本体と、
前記紙製容器本体の上縁に固着されたプラスチック製の環状口部材と、
前記環状口部材に対して嵌合され、嵌合状態において、前記容器本体の前記開口を開閉可能に密閉する蓋部材とを含み、
前記蓋部材は、
前記環状口部材に外嵌合するプラスチック製の嵌合環部と、
前記嵌合環部に対して、ヒンジ部を中心に開閉可能に設けられ、前記開口を開閉するための蓋本体とを含み、
前記蓋本体は、当該蓋本体の外周縁部を形成するプラスチック製の周縁フレームと、当該プラスチック製周縁フレームに固着され、蓋本体の主面を構成する紙製の主面板と、を含むことを特徴とする包装容器。
【請求項２】
前記プラスチック製の周縁フレームは、当該周縁フレームと一体に成形され、周縁フレームで囲まれた空間内に掛け渡されたプラスチック製のリブを有し、
前記紙製の主面板は、前記周縁フレームで囲まれた空間を閉じるように、かつ、前記リブによって下方から支持されるように、前記周縁フレームに固着されていることを特徴とする、請求項１記載の包装容器。
【考案の詳細な説明】
【技術分野】
【０００１】
この考案は、チョコレート、ガム、飴等の菓子類を主として収容するための包装容器に関する。
【背景技術】
【０００２】
近年、チューインガム、チョコレート、飴などの菓子類をリクローズ可能なボトル状の包装容器に収容して販売している商品がある。この種のリクローズ可能な包装容器の一例は、特許文献1に記載されている。
特許文献１に記載された包装容器は、紙製の容器本体に、プラスチック製の蓋部材が嵌合された構成となっている。紙製の容器本体の上縁開口には、プラスチック製の環状口部材が溶着され、この環状口部材に蓋部材が取り外し困難な状態で嵌合されている。
【０００３】
内容物が充填された包装容器は、販売された後、蓋部材に備えられた開封用のティアバンドが引き剥がされることにより、蓋部材に含まれる蓋本体が開閉可能な状態となる。
特許文献１に記載された包装容器は、容器本体が紙で出来ており、プラスチックの使用量が少ないため、いわゆる環境負荷が低減された構造となっている。
【先行技術文献】
【特許文献】
【０００４】
【特許文献１】特開２００８−３０８２２８号公報
【考案の概要】
【考案が解決しようとする課題】
【０００５】
特許文献１に記載された包装容器は、容器本体が紙製のため、プラスチック使用量が削減された構造ではある。
しかしながら、特許文献１記載の包装容器は、蓋部材がプラスチック製であり、プラスチックの使用量をさらに削減した、より環境負荷が低減された包装容器が望まれる。
また、特許文献１に記載の包装容器は、紙およびプラスチックの複合容器であるため、リサイクル時や、廃棄時には、紙とプラスチックとを材料別に分離しなければならず、快適な住環境を実現する上では、分離せずに処理可能な包装容器が望まれるところである。
【０００６】
この考案は、このような背景のもとになされたものであり、プラスチック使用量をより削減した、リクローズ可能な包装容器を提供することを主たる目的とする。
この考案は、また、環境負荷の低い紙等の材料により構成された、リクローズ可能な包装容器を提供することを他の目的とする。
【課題を解決するための手段】
【０００７】
請求項１記載の考案は、上縁に開口を有する紙製の容器本体と、前記紙製容器本体の上縁に固着されたプラスチック製の環状口部材と、前記環状口部材に対して嵌合され、嵌合状態において、前記容器本体の前記開口を開閉可能に密閉する蓋部材とを含み、前記蓋部材は、前記環状口部材に外嵌合するプラスチック製の嵌合環部と、前記嵌合環部に対して、ヒンジ部を中心に開閉可能に設けられ、前記開口を開閉するための蓋本体とを含み、前記蓋本体は、当該蓋本体の外周縁部を形成するプラスチック製の周縁フレームと、当該プラスチック製周縁フレームに固着され、蓋本体の主面を構成する紙製の主面板と、を含むことを特徴とする包装容器である。
【０００８】
請求項２記載の考案は、前記プラスチック製の周縁フレームは、当該周縁フレームと一体に成形され、周縁フレームで囲まれた空間内に掛け渡されたプラスチック製のリブを有し、前記紙製の主面板は、前記周縁フレームで囲まれた空間を閉じるように、かつ、前記リブによって下方から支持されるように、前記周縁フレームに固着されていることを特徴とする、請求項１記載の包装容器である。
【考案の効果】
【０００９】
この考案によれば、紙とプラスチックとの複合容器において、蓋部材の構造を工夫することにより、蓋部材に使用するプラスチックの使用量を削減して、包装容器全体としてのプラスチック使用量を低減した、環境負荷の低い包装容器を提供することができる。
【図面の簡単な説明】
【００１０】
【図１】この考案の一実施例に係る包装容器１の正面図である。
【図２】この実施例に係る包装容器１の分解斜視図である。
【図３】容器本体２に対して蓋部材３が嵌合された状態における、蓋部材３を中心とする部分の部分縦断面図である。
【図４】この考案の他の実施例に係る包装容器１の蓋部材３の構成を示す図解的な斜視図である。
【考案を実施するための形態】
【００１１】
以下には、図面を参照して、この考案の実施例について具体的に説明をする。
【実施例】
【００１２】
図１は、この考案の一実施例に係る包装容器１の正面図である。
包装容器１は、紙製の容器本体２と、紙製容器本体２の上部に嵌合された蓋部材３とを有している。
紙製の容器本体２は、平面視円形をした筒状の胴部２０および平面視円形の底（図示せず）を有し、上端に開口を有する円筒形状をしている。
【００１３】
蓋部材３は、平面視略円形で、容器本体２の上端部に外嵌合する嵌合環部８と、嵌合環部８に対して開閉可能に設けられた蓋本体６と、嵌合環部８と蓋本体６との間に備えられたティアバンド５およびティアバンド５を引き剥がす際につまむつまみ４とを有している。なお、７は、蓋本体６を開閉する際に指で操作する開閉つまみである。
図２は、この実施例に係る包装容器１の分解斜視図である。
【００１４】
容器本体２の上縁にはプラスチック製の環状口部材１０がたとえば溶着により固着されている。これにより、容器本体２の上縁には、環状口部材１０の内周縁で区画された開口１１が形成されている。
蓋部材３は、前述したように、嵌合環部８と、蓋本体６と、ティアバンド５およびつまみ４とを含んでいる。
【００１５】
この蓋部材３の特徴は、蓋本体６の外周縁部を形成する周縁フレーム１２は、プラスチックで成形されているが、周縁フレーム１２で区画された蓋本体６の上部の主面板１３は、紙製の面板で構成されていることである。
すなわち、蓋部材３は、容器本体２におけるプラスチック製の環状口部材１０に外嵌合するプラスチック製の嵌合環部８と、嵌合環部８に対して開閉可能に設けられ、嵌合環部８が環状口部材１０に嵌合された状態において、容器本体２の開口１１を開閉するための蓋本体６と、嵌合環部８に対し蓋本体６を開閉可能な状態にするために、つまみ４をつまんで引き外すことのできるティアバンド５と、蓋本体６に一体に設けられた開閉つまみ７とを含んでおり、これらの部材は、主面板１３を除き、プラスチックの一体成形により作られている。
【００１６】
図３は、容器本体２に対して蓋部材３が嵌合された状態における、蓋部材３を中心とする部分の部分縦断面図である。
図３に示すように、紙製の胴部２０の上縁に固着されたプラスチック製の環状口部材１０に対して、プラスチック製の嵌合環部８が外嵌合されている。嵌合環部８の上方にはプラスチック製の周縁フレーム１２が設けられており、嵌合環部８と周縁フレーム１２とは、周縁方向における１箇所（図３においては左側）において、プラスチック製のヒンジ部１４でつながっている。そして嵌合環部８と周縁フレーム１２との間を接続しているティアバンド５が除去されると、周縁フレーム１２はヒンジ部１４を中心に、嵌合環部８に対して開閉可能となる。周縁フレーム１２の内周縁で区画された蓋本体６の円形上面には紙製の主面板１３が取り付けられている。主面板１３は、平面視円形で、その外周縁部が周縁フレーム１２の内周縁部と、たとえば溶着により接合されている。あるいは、蓋部材３を射出成形する際に、主面板１３の外周縁部にプラスチックの周縁フレーム１２が固着するように、周縁フレーム１２等を射出成形してもよい。
【００１７】
このような構成にすることにより、従来は全部がプラスチックで作られていた蓋部材３を、複合構造とし、プラスチックの使用比率を少なくでき、蓋部材３の主材料（主原料）を紙とすることができる。
よって、容器本体２も蓋部材３も、いずれもの主原料が紙の、全体として主原料が紙の包装容器１とすることができる。すなわち、包装容器の規格上、紙製の包装容器を提供することができる。
【００１８】
図４は、他の実施例に係る包装容器１の蓋部材３の構成を示す図解的な斜視図である。
図４の実施例では、蓋部材３における蓋本体６はプラスチック製の周縁フレーム１２および紙製の主面板１３を有している。この実施例では、周縁フレーム１２の内周縁で区画された蓋本体６の上面円形空間に、主面板１３を支持するためのリブ１５が掛け渡されている。リブ１５は、周縁フレーム１２と一体にプラスチックで成形されている。
【００１９】
かかるリブ１５を設けると、リブ１５の分だけプラスチックの使用量が増加するが、紙製の主面板１３に対して上方から外力が加わった際に、主面板１３の強度を増加できるという利点がある。
また、周縁フレーム１２の厚み等を薄くでき、プラスチックの使用量を少なくできるという利点もある。
【００２０】
この考案は以上説明した各実施例に限定されるものではなく、請求項記載の範囲内において種々の変更が可能である。
【符号の説明】
【００２１】
１    包装容器
２    容器本体
３    蓋部材
４    つまみ
５    ティアバンド
６    蓋本体
７    開閉つまみ
８    嵌合環部
１０    環状口部材
１１    開口
１２    周縁フレーム
１３    主面板
１４    ヒンジ部
１５    リブ
２０    胴部
【図１】
0003153078.tif 000003
【図２】
0003153078.tif 000004
【図３】
0003153078.tif 000005
【図４】
0003153078.tif 000006